(57)【特許請求の範囲】
【請求項１】
波型スレート葺きした屋根または外壁にできた補修個所に取付ける耐火採光装置（１）は、耐火性と採光性を有する少なくとも１以上の方形をした耐火枠体（２）を組合わせて形成した採光枠（Ｓ）と、
横枠組（１０）の横枠片（１１）の内壁部（１５）の両端に設けた嵌合部（１６）に、縦枠組（３０）の縦枠片（３１）の端部を横枠片（１１）の外壁部（１３）と直角方向に設置し、互いの外壁部（１３、３３）の角部と内壁部（１５、３５）の角部とにそれぞれコーナー片（５５）を連結金具（５７）で固定してなり、前記内壁部（１５、３５）の上端に嵌合した保持パッキン（６０）の上面に網入ガラス板（７）を載置し、前記内壁部（１５、３５）と垂直方向に合致する縦横押圧片（２０、３７）の内側脚部（２２、３９）に嵌合した押圧パッキン（６３）の下部を網入ガラス板（７）上に載置した前記耐火枠体（２）と、
前記採光枠（Ｓ）の外縁に位置する縦横耐火枠体（２ａ〜２ｃ）に取付けて採光枠（Ｓ）の外縁を囲う、耐火性を有する少なくとも１以上の縦横葺耐火板（６７、６９）と、
前記採光枠（Ｓ）の表面に、屋根板または外壁と同型の透明または半透明に形成した合成樹脂材からなる波型樹脂板（５）と、からなり
前記採光枠（Ｓ）を構成する各耐火枠体（２）は、耐火性を有した網入ガラス板（７）と、該網入ガラス板の周縁を保持する耐火性を有した折曲部材である鋼板からなる一対の横枠組（１０）及び縦枠組（３０）とからなり、前記耐火枠体（２）を補修個所の母屋（Ｙ）または胴縁（Ｎ）の上下左右方向に連設して採光枠（Ｓ）を形成し、該採光枠の表面で前記波型樹脂板（５）の上端（棟側）を補修個所の上側に位置した波型スレート板（６５）の下面に設置し、下端（軒側）を補修個所の下側に位置した波型スレート板（６５´）の上面に設置してなることを特徴とする波型スレートの耐火採光装置。
【請求項２】
前記横枠組（１０）は、底部に位置した溝部（１２）の外壁部（１３）の上端に水平な連結部（１４）を設け、前記溝部（１２）の内壁部（１５）の長手方向両端を切欠いた嵌合部（１６）を形成し、前記内壁部（１５）の上端に保持パッキン（６０）を嵌合した横枠片（１１）と、折曲部材である鋼板で断面門型に形成した平坦部（２１）の内方に内側脚部（２２）、外方に外側脚部（２５）をそれぞれ設け、前記内側脚部（２２）と外側脚部（２５）の長手方向両端を切欠いて設けた嵌合部（２３、２６）と、前記内側脚部（２２）の下端に押圧パッキン（６３）を嵌合した横押圧片（２０）と、折曲部材である鋼板で断面クランク型に形成した下端支持部（２８）を前記横枠片（１１）の溝部（１２）の内底面に固定して上端支持部（２９）の表面に前記横押圧片（２０）の平坦部（２１）の裏面を固定した横支持片（２７）とからなり、前記横枠片（１１）の内壁部（１５）に嵌合した保持パッキン（６０）の上部と、横押圧片（２０）の内側脚部（２２）に嵌合した押圧パッキン（６３）の下部とで前記網入ガラス板（７）を挟持してなることを特徴とする請求項１記載の波型スレートの耐火採光装置。
【請求項３】
前記縦枠組（３０）は、底部に位置した溝部（３２）の外方に設けた外壁部（３３）の上端に水平な連結部（３４）を設け、前記溝部（３２）の内方に設けた内壁部（３５）の上端に保持パッキン（６０）を嵌合した縦枠片（３１）と、折曲部材である鋼板で断面門型に形成した平坦部（３８）の内方に内側脚部（３９）、外方に外側脚部（４０）をそれぞれ設け、前記内側脚部（３９）の下端に押圧パッキン（６３）を嵌合した縦押圧片（３７）と、折曲部材である鋼板で断面クランク型に形成した下端支持部（４６）を前記縦枠片（３１）の溝部（３２）の内底面に固定して上端支持部（４７）の表面に前記縦押圧片（３７）の平坦部（３８）の裏面を固定した縦支持片（４５）とからなり、前記縦枠片（３１）の内壁部（３５）に嵌合した保持パッキン（６０）の上部と、縦押圧片（３７）の内側脚部（３９）に嵌合した押圧パッキン（６３）の下部とで、網入ガラス板（７）を挟持してなることを特徴とする請求項１記載の波型スレートの耐火採光装置。
【請求項４】
前記横葺耐火板（６７）は、耐火性を有する鋼板の上端を波型スレート（６５）の断面形状に合致する波型に形成し、下端を各耐火枠体（２）を構成する横枠片（１１）と横押圧片（２０）との間に取付け、裏面（内側）に取付けたパッキン（６８）の上端を前記波型樹脂板（５）の裏面に当接してなることを特徴とする請求項１記載の波型スレートの耐火採光装置。
【請求項５】
前記縦葺耐火板（６９）は、耐火性を有する鋼板の上端を波型スレート（６５）の裏面と並行に位置する直線状に形成し、下端を耐火枠体（２）の縦枠片（３１）の連結部（３４）上に取付け、該縦葺耐火板の上端に取付けたパッキン（７０）を片側に位置した波型スレート板（６５）の裏面に当接してなることを特徴とする請求項１記載の波型スレートの耐火採光装置。  
【発明の詳細な説明】
【技術分野】
【０００１】
本発明は、倉庫、工場、または体育館などの屋根材又は外壁材として使用される波型スレートの耐火採光装置に関する。
【背景技術】
【０００２】
従来、工場、倉庫、体育館などの大型建造物や、商店街のアーケードなどをはじめ多くの公共施設の屋根材または外壁材として耐火性、耐水性、耐久性に優れしかも安価であることから波型スレート板が広く使用され、また、波型スレート葺した屋根や外壁の合間には、明り取り用の網入波型ガラスで形成した採光窓部が取付けられている。
【０００３】
一方、前記波型スレート板や網入波型ガラス板は、用途により波型形状が相違し、いわゆる小波型、大波型、特大波型といわれるスレート板が使用されている。特に大型の工場や倉庫などの屋根板として大波型、特大波型のスレート板が広く使用され、外壁用としては、小波型、大波型のスレート板が使用されている。
【０００４】
前記した網入波型ガラス板は、屋根材または外壁材として建築基準法で規定する耐火性を有することから広く使用されている。しかし、この波型スレート板や網入波型ガラス板は、建築後かなりの年数が経過すると経年劣化が生じ、スレート板やガラス板が脆くなり外部からの衝撃などで破損しやすくなる。そこで、老朽化による破損を防止するため、波型スレート板の表面を塗装して補強したり、表面にカバーを被せて補強することなどが知られている（例えば、特許文献１、２参照）。  
【先行技術文献】
【特許文献】
【０００５】
【特許文献１】特開２０１０−１６８８７８号
【特許文献２】特開２０１１−１２２３６３号
【発明の概要】
【０００６】
しかし、前記波型スレート板や網入波型ガラス板で葺いた屋根や外壁面は、一部が破損したりひび割れすると雨漏りの原因となることから補修する必要がある。建築後かなりの年数が経過すると、補修材料である同じ型の波型スレート板や網入波型ガラス板の在庫がない場合や、既に生産中止となっている場合があり、波型スレート板や網入波型ガラス板の入手が困難になることがある。
【０００７】
また、屋根や外壁の一部に取付ける採光用の網入波型ガラス板は、用途が特殊であることから年月の経過と共に需要が少なく、生産数も減少している。そのため、必要なときに在庫がない場合が多く、特に特大波型の網入波型ガラス板は、既に生産中止となっている。
【発明が解決しようとする課題】
【０００８】
網入波型ガラス板の入手が困難であることから、屋根に網入波型ガラス板を使用した採光窓を取付けることは困難である。したがって、屋根の表面から突出させた採光窓（トップライト）を取付けることが行われている。しかし、この採光窓は横長に形成されるため、水上側の雨水が堰き止められて流れにくくなり、雨水が溜まると雨漏りの原因となりやすくなる。そのため、採光窓の水上側には雨漏り防止用のシール部材を取付けたり、採光窓の間隔を開けて雨水を流れやすくする必要があるなど工事が複雑となり面倒であると共に時間がかかり大変不経済である。
【０００９】
前記波型スレート板または網入波型ガラス板が割れて補修が必要な個所、または屋根や外壁に設けた採光窓に安価で大量生産が可能な合成樹脂材からなる波型樹脂板を使用することにより、簡単に葺き替えすることができる。しかしながら、波型樹脂板は耐火性を有しないことから建築基準法に規定する耐火性をクリアすることができないという問題点を有している。
【００１０】
そこで、耐火性と耐水性を兼ね備えた平板な網入ガラスと、耐火性を有する鋼板を組み合わせて形成した複数の耐火枠体２を組合わせて形成した採光枠を補修個所に取付け、該補修個所の表面に合成樹脂材からなる波型樹脂板を取付けることにより、建築基準法に規定する耐火性と採光性を有する採光窓を簡単に取付けることができ、また、任意個所に新たに採光窓を簡単に取付けることができる耐火採光装置を提供することを目的とする。
【課題を解決するための手段】
【００１１】
本発明は、波型スレート葺きした屋根または外壁にできた補修個所に取付ける耐火採光装置１は、耐火性と採光性を有する少なくとも１以上の方形をした耐火枠体２を組合わせて形成した採光枠Ｓと、前記採光枠Ｓの外縁に位置する縦横耐火枠体２ａ〜２ｃに取付けて採光枠Ｓの外縁を囲う耐火性を有する少なくとも１以上の縦横葺耐火板６７、６９と、前記採光枠Ｓの表面に屋根板または外壁と同型の透明または半透明に形成した合成樹脂材からなる波型樹脂板５と、からなることを特徴とする。また、前記採光枠Ｓを構成する各耐火枠体２は、耐火性を有した網入ガラス板７と、該網入ガラス板の周縁を保持する耐火性を有した折曲部材である鋼板からなる一対の横枠組１０及び縦枠組３０とからなり、前記耐火枠体２を補修個所の母屋Ｙまたは胴縁Ｎの上下左右方向に連設して採光枠Ｓを形成し、該採光枠の表面で前記波型樹脂板５の上端（棟側）を補修個所の上側に位置した波型スレート板６５の下面に設置し、下端（軒側）を補修個所の下側に位置した波型スレート板６５’の上面に設置してなることを特徴とする。さらに、前記横枠組１０は、底部に位置した溝部１２の外壁部１３の上端に水平な連結部１４を設け、前記溝部１２の内壁部１５の長手方向両端を切欠いた嵌合部１６を形成し、前記内壁部１５の上端に保持パッキン６０を嵌合した横枠片１１と、折曲部材である鋼板で断面門型に形成した平坦部２１の内方に内側脚部２２、外方に外側脚部２５をそれぞれ設け、前記内側脚部２２と外側脚部２５の長手方向両端を切欠いて設けた嵌合部２３、２６と、前記内側脚部２２の下端に押圧パッキン６３を嵌合した横押圧片２０と、折曲部材である鋼板で断面クランク型に形成した下端支持部２８を前記横枠片１１の溝部１２の内底面に固定して上端支持部２９の表面に前記横押圧片２０の平坦部２１の裏面を固定した横支持片２７とからなり、前記横枠片１１の内壁部１５に嵌合した保持パッキン６０の上部と、横押圧片２０の内側脚部２２に嵌合した押圧パッキン６３の下部とで前記網入ガラス板７を挟持してなることを特徴とする。さらにはまた、前記縦枠組３０は、底部に位置した溝部３２の外方に設けた外壁部３３の上端に水平な連結部３４を設け、前記溝部３２の内方に設けた内壁部３５の上端に保持パッキン６０を嵌合した縦枠片３１と、折曲部材である鋼板で断面門型に形成した平坦部３８の内方に内側脚部３９、外方に外側脚部４０をそれぞれ設け、前記内側脚部３９の下端に押圧パッキン６３を嵌合した縦押圧片３７と、折曲部材である鋼板で断面クランク型に形成した下端支持部４６を前記縦枠片３１の溝部３２の内底面に固定して上端支持部４７の表面に前記縦押圧片３７の平坦部３８の裏面を固定した縦支持片４５とからなり、前記縦枠片３１の内壁部３５に嵌合した保持パッキン６０の上部と、縦押圧片３７の内側脚部３９に嵌合した押圧パッキン６３の下部とで、網入ガラス板７を挟持してなることを特徴とする。また、前記耐火枠体２は、横枠組１０の横枠片１１の内壁部１５の両端に設けた嵌合部１６に、縦枠組３０の縦枠片３１の端部を横枠片１１の外壁部１３と直角方向に設置し、互いの外壁部１３、３３の角部と内壁部１５、３５の角部とにそれぞれコーナー片５５を連結金具５７で固定してなり、前記内壁部１５、３５の上端に嵌合した保持パッキン６０の上面に網入ガラス板７を載置し、前記内壁部１５、３５と垂直方向に合致する縦横押圧片２０、３７の内側脚部２２、３９に嵌合した押圧パッキン６３の下部を網入ガラス板７上に載置してなることを特徴とする。さらに、前記横葺耐火板６７は、耐火性を有する鋼板の上端を波型スレート屋根板６５の断面形状に合致する波型に形成し、下端を各耐火枠体２を構成する横枠片１１と横押圧片２０との間に取付け、裏面（内側）に取付けたパッキン６８の上端を前記波型樹脂板５の裏面に当接してなることを特徴とする。さらにはまた、前記縦葺耐火板６９は、耐火性を有する鋼板の上端を波型スレート屋根板６５の裏面と並行に位置する直線状に形成し、下端を耐火枠片２の縦枠片３１の連結部３４上に取付け、該縦葺耐火板の上端に取付けたパッキン７０を片側に位置した波型スレート板６５の裏面に当接してなることを特徴とする。  
【００１２】
したがって、前記耐火採光装置１は、耐火性と採光性を有した網入ガラス板７を折曲部材である鋼板からなる横枠組１０及び縦枠組３０とで組合わせて耐火枠体２を形成し、前記同一形状の耐火枠体２を複数組み合わせて補修個所に合致する採光枠Ｓを形成し、該採光枠の外周面に耐火性を有する縦横葺耐火板６７、６９を取付け、前記採光枠Ｓの表面を覆う波型樹脂板５を取付けて形成したことにより、建築基準法に定める耐火性をクリアすることができる。また、前記波型樹脂板５は、補修個所の上下方向に位置する既存の波型スレート板の棟側の波型スレート板の下側に先端を配置し、下端を補修個所の軒側波型スレート板上に重ねて取付けることにより、屋根面または壁面から補修個所が突出しないので、見た目も通常の波型スレート葺の屋根面または外壁面と違和感なく取付けることができ、且つ、雨漏りを防止できる。さらに、採光枠Ｓを耐火枠体２と波型樹脂板５と縦横葺耐火板６７、６９とで二重構造にすることにより中間に空気層を設けることができ、断熱効果と外部からの衝撃に耐えることができる。さらにはまた、屋根面の補修個所の母屋Ｙに複数の耐火枠体２を上下左右方向に組み合わせて所定サイズの採光枠Ｓを工事用の足場を使用せずに取付け作業を行うことができる。また、補修個所の表面に網入波型ガラスではなく安価な波型樹脂板５を取付けることができるため、コストダウンが図れて経済的である。
【図面の簡単な説明】
【００１３】
【図１】本発明にかかる耐火採光装置を屋根面に取付けた一例を示す一部破断した斜視図である。
【図２】本発明にかかる耐火採光装置の要部拡大平面図である。
【図３】耐火採光装置を構成する耐火枠体の拡大平面図である。
【図４】図３のＡ―Ａ線拡大断面図である。
【図５】図３のＢ―Ｂ線拡大断面図である。
【図６】横枠片と縦枠片とを組合わせた結合状態を示す一部破断した斜視図である。
【図７】横押圧片と縦押圧片とを組合わせた結合状態を示す一部破断した斜視図である。
【図８】図２に示すイ丸部分の拡大断面図である。
【図９】図２に示すロ丸部分の拡大断面図である。
【図１０】図２に示すハ丸部分の拡大断面図である。
【図１１】図２に示すニ丸部分の拡大断面図である。
【図１２】図２に示すホ丸部分の拡大断面図である。
【図１３】耐火枠体を上下左右方向に組み合わせて形成した採光枠の模式図である。
【図１４】耐火採光装置を建物の外壁に取付けた一例を示す一部破断した正面図である。
【図１５】図１４のＣ―Ｃ線断面図である
【図１６】図１４のＤ―Ｄ線断面図である
【発明を実施するための形態】
【００１４】
本発明に係る実施の形態を図面により説明すると、図１は本発明にかかる耐火採光装置を屋根面に取付けた一例を示す一部破断した斜視図、図２は本発明にかかる耐火採光装置の要部拡大平面図、図３は耐火採光装置を構成する耐火枠体の拡大平面図、図４は図３のＡ―Ａ線拡大断面図、図５は図３のＢ―Ｂ線拡大断面図、図６は横枠片と縦枠片とを組合わせた結合状態を示す一部破断した斜視図、図７は横押圧片と縦押圧片とを組合わせた結合状態を示す一部破断した斜視図である。
【００１５】
本発明に係る耐火採光装置１は、波型スレート板や網入波型ガラス板などで形成した屋根または外壁において、屋根または外壁に設けた採光窓や屋根または外壁の一部が破損した補修個所に、当該破損個所の屋根または外壁を構成する梁（基枠）Ｔに取付けた母屋Ｙまたは胴縁Ｎを利用して取付けるもので、耐火性と採光性を有する少なくとも一以上の方形をした同一形状に形成した耐火枠体２を複数組合わせて所定の大きさに形成した採光枠Ｓと、透明または半透明に形成した合成樹脂材からなる波型樹脂板５と、前記採光枠Ｓの周囲を囲む耐火性を有する縦横葺耐火板６７、６９とからなり、前記採光枠Ｓの表面に前記波型樹脂板５をそれぞれ重ね式の額縁状に結合して二重構造としたものである。
【００１６】
前記採光枠Ｓを構成する各耐火枠体２は、図２、３に示すごとく補修個所に露出した母屋Ｙの上下間隔に合わせて形成した耐火性を有した網入ガラス板７と、該網入ガラス板の周縁を額縁状に保持する耐火性を有した鋼板、即ち折曲部材である鋼板からなる一対の横枠組（上下方向）１０と、同じく折曲部材である屈曲鋼板からなる一対の縦枠組（左右方向）３０とにより方形に設けてある。
【００１７】
前記横枠組１０と縦枠組３０を構成する鋼板は、例えば、溶融亜鉛メッキした折曲部材である鋼板からなる一対の縦横枠片１１、３１と、同じく一対の縦横押圧片２０、３７と、同じく一対の縦横支持片２７、４５とにより構成してある。
【００１８】
前記横枠片１１は、図３、４、６に示すごとく、底部に位置した溝部１２の外壁部１３の上端に水平な連結部１４を設けてあり、前記溝部１２の内方に設けた高さのやや低い内壁部１５の長手方向両端をそれぞれ切欠いた嵌合部１６を設け、該内壁部１５の上端に保持パッキン６０を嵌合してある。
【００１９】
横押圧片２０は、図３、４、７に示すごとく、折曲部材である鋼板で断面門型に形成して上部に位置する平坦部２１の内方の下部に内側脚部２２、外方の下部に外側脚部２５を設け、前記内側脚部２２と外側脚部２５の長手方向両端を切欠いた嵌合部２３、２６を設けると共に、前記内側脚部２２の下端に押圧パッキン６３を嵌合してある。
【００２０】
横支持片２７は、図４に示すごとく、折曲部材である鋼板で断面クランク型に形成した下端支持部２８を前記横枠片１１の溝部１２の内底面に連結金具５７で固定し、上端支持部２９の表面に前記横押圧片２０の平坦部２１の裏面を連結金具５７´で固定し、前記横枠片１１と横押圧片２０とを連結して網入ガラス板７を上方から当接してある。
【００２１】
前記縦枠片３１は、図３、５、６に示すごとく、底部に位置した溝部３２の外壁部３３の上端に水平な連結部３４を設けてあり、前記溝部３２の高さの低い内壁部３５の上端に保持パッキン６０を嵌合してある。内壁部３５と内壁部１５は同じ高さに形成してある。
【００２２】
縦押圧片３７は、図３、５、７に示すごとく、折曲部材である鋼板で断面門型に形成した平坦部３８の内方に内側脚部３９、外方に外側脚部４０を設け、前記内側脚部３９の下端に押圧パッキン６３を嵌合してある。
【００２３】
縦支持片４５は、図５に示すごとく、折曲部材である鋼板で断面クランク型に形成した下端支持部４６を前記縦枠片３１の底部に設けた溝部３２の内底面に連結金具５７で固定し、上端支持部４７の表面に前記縦押圧片３７の平坦部３８の裏面を重合させて連結金具５７´で固定する。したがって、前記縦枠片３１の内壁部３５の上端に嵌合した保持パッキン６０と、縦押圧片３７の内側脚部３９の下端に嵌合した押圧パッキン６３とで、網入ガラス板７を圧着して挟持してある。
【００２４】
図４、５に示すごとく、前記縦横枠片１１、３１および縦横押圧片２０、３７による網入ガラス板７の固定は、縦横支持片２７、４５の下端支持部２８、４６を縦横枠片１１、３１の溝部１２、３２の内底面に連結金具５７で連結し、次いで、上端支持部２９、４７の表面にそれぞれ縦横押圧片２０、３７の平坦部２１、３８を重ねて連結金具５７´で連結することにより、網入ガラス板７の周縁上下両面を内壁部１５、３５の上端に嵌合した保持パッキン６０と、内側脚部２２、３９の下に嵌合した押圧パッキン６３で圧着して挟持することができる。
【００２５】
前記横枠組１０と縦枠組３０を方形、即ち額縁状に組み合わせるには、図３〜７に示すごとく、横枠組１０の横枠片１１の内壁部１５の両端に設けた嵌合部１６に、縦枠組３０の縦枠片３１の端部を直角方向に当接し、互いの外壁面１３、３３の角部と、内壁部１５、３５の角部とにそれぞれコーナー片５５を介して連結金具５７で連結してある。
【００２６】
さらに、方形に組合わせた前記縦横枠片１１、３１の内壁部１５、３５の上端に嵌合した保持パッキン６０の上面に網入ガラス板７を載置し、さらに前記内壁部１５、３５と垂直方向に合致する縦横押圧片２０、３７の内側脚部２２、３９の下端に嵌合した押圧パッキン６３で網入ガラス板７を上面から圧着して固定する。前記した連結金具５７は、公知のボルト・ナットで、連結金具５７´は、刃先を持つドリリングビスと言われるもので、回転しながら下穴とねじ山をビス自体が形成するものを使用して連結してある。
【００２７】
前記波型樹脂板５は、透明または半透明な合成樹脂板からなり、好ましくは、ポリカーボネート板などを使用し、特に半透明に形成した波型樹脂板は、室内側の照度を低くすることにより遮熱効果を有することから室内温度の上昇を抑えることができる。
【００２８】
この波型樹脂板５を補修個所に取付けるには、前記波型樹脂板５の上端（棟側）を補修個所に位置した波型スレート板６５の軒側端部の下側に挿入して重合し、波型樹脂板５の下端（軒先側）を補修個所の軒側に位置した波型スレート板６５´の表面に重ねて取付ける。そのため、屋根の棟側から軒先側に流れる水に対して、波型樹脂板５に雨漏り防止用のシール材を充填することなく雨水を流下させることができる。
【００２９】
前記採光枠Ｓは、外周面全体に耐火性を有する鋼板により形成した横葺耐火板６７と縦葺耐火板６９を取付け、万一、火災が発生した場合、炎が採光枠Ｓの周囲から波型樹脂板５側に回るのを防止する、いわゆる、建築基準法に規定する耐火性を具えることができる。
【００３０】
前記横葺耐火板６７は、図８、１０に示すごとく、耐火性を有する鋼板の上端を波型スレート屋根板６５の断面形状に合致する波型に形成し、下端を折り曲げて横枠組１０を構成する横枠片１１ａと横押圧片２０との間に連結金具５７´で取付け、裏面（内側）に取付けた波型パッキン６８の上端を前記波型樹脂板５の裏面に当接して形成してある。したがって、施工誤差や波型樹脂板５の公差を吸収でき、また、地震時における波型樹脂板５と耐火板との接触による破損を防止することができる。
【００３１】
前記縦葺耐火板６９は、図１２に示すごとく、上端を波型スレート屋根板６５の裏面と並行に位置する直線状に形成し、下端を耐火枠片２の縦枠片３１の連結部３４上に連結金具５７で取付け、該縦葺耐火板の上端に取付けたパッキン７０を片側に位置した波型スレート板６５の裏面に当接して形成してある。前記パッキン７０を上端に取付けたことにより、施工誤差や波型スレート板の公差を吸収でき、また、地震時における波型スレート板と耐火板との接触による破損を防止することができる。
【００３２】
前記耐火採光装置１は、複数の耐火枠体２を組み合わせて形成した採光枠Ｓと、該採光枠の周囲を縦横葺耐火板６７、６９で囲うことにより、火災発生時の炎が建築基準法に規定する時間、外部に漏れるのを防止することができる。また、採光枠Ｓの耐火枠体２と波型樹脂板５とで二重構造にしたことにより、中間に空気層を形成することができ、断熱効果を高めることができる。さらには、波型樹脂板５は外部からの飛来物に対して、従来の波状板ガラスより衝撃性が高い効果を有しているため割れにくい。
【００３３】
次に、前記耐火採光装置１を建造物の外壁Ｍに取付けるには、図１４、１５、１６に示すごとく、前記外壁Ｍの補修個所に露出した胴縁Ｎに取付ける複数の耐火枠体２からなる採光枠Ｓと、該採光枠の表面に取付ける合成樹脂材により形成した波型樹脂板５と、前記採光枠Ｓの周囲を囲う耐火板６７、６９とにより形成してある。この外壁Ｍに取付ける耐火採光装置１は、図１に示した屋根Ｘの補修個所に取付けた耐火採光装置１と構成が同じであることから説明が重複するためここでの説明を省略する。
【００３４】
その他、波型スレート板６５または波型樹脂板５の下面（下側）を保護する屋根板保護クッション６６および屋根葺または外壁葺に使用するフックボルト、板留めネジ、連結部材の隙間を埋めるパッキンなどは、周知のものを使用して取付けてあるためここでの説明を省略する。
【００３５】
本発明の実施形態の作用について説明すると、補修個所に取付ける耐火採光装置１は、複数の耐火枠体２を組合わせて所定の大きさに形成した採光枠Ｓと、該採光枠Ｓの周囲を囲う縦横葺耐火板６７、６９と、当該屋根または外壁に使用した波型スレート６５と同じ波型に形成した波型樹脂板５とからなる。この採光枠Ｓを構成する耐火枠体２は、耐火性を有する網入ガラス板７の周縁に耐火性を有した折曲部材である鋼板により形成した一対の横枠組１０及び縦枠組３０とで方形、即ち、額縁状に形成してある。
【００３６】
前記横枠組１０と縦枠組３０を額縁状に組み合わせるには、図６、７に示すごとく、横枠組１０の横枠片１１の内壁部１５の両側にそれぞれ設けた嵌合部１６に、縦枠組３０の縦枠片３１の端部を直角方向に当接し、互いの外壁面１３、３３の角部と内壁部１５、３５の角部にそれぞれコーナー片５５を連結金具５７で固定してある。
【００３７】
次いで、前記内壁部１５、３５の上端に嵌合した保持パッキン６０の上面に網入ガラス板７を載置し、さらに前記内壁部１５、３５の上端と、垂直方向に合致する縦横押圧片２０、３７の内側脚部２２、３９の下端にそれぞれ嵌合した押圧パッキン６３の下端を網入ガラス板７の上面に位置し、縦横枠片１１、３１と縦横押圧片２０、３７とを縦横支持片２７、４５とで連結固定して額縁状に設けてある。
【００３８】
採光枠Ｓの周囲に取付けた縦横葺耐火板６７、６９は、上端に取付けたクッション６８、７０を波型樹脂板５および波型スレート６５の裏面に密着させて取付けることにより、施工誤差や波型樹脂板５および波型スレート６５の公差を吸収し、また、火災発生時おける炎が建築基準法に規定する一定時間、外部に出るのを防止することができる。
【００３９】
屋根Ｘの補修個所に前記耐火採光装置１を取付ける工程を、図２の丸印イからホに示す部分を図８〜１３の拡大図に基づいて説明すると、補修個所から露出した母屋Ｙの軒先側から棟方向に向かって複数の耐火枠体２を順次取付けて採光枠Ｓを形成する。
【００４０】
以下の説明において、耐火枠体を母屋の軒側から棟側に葺いた状態を示す模式図（図１３）に示すごとく、図８に示した耐火枠体２は、第１耐火枠体２ａと軒側連結部１４ａとし、図９に示す耐火枠体は、第１耐火枠体２ａと棟側連結部１４ｂまたは第２耐火枠体２ｂと軒側連結部１４ｃ、さらには第３耐火枠体２ｃと軒側連結部１４ｅとし、図１０に示す耐火枠体は、第３耐火枠体２ｃの棟側連結部１４ｆとして説明する（図１０）。
【００４１】
図８（図２のイ）に示すごとく、第１耐火枠体２ａの軒側連結部１４ａを補修個所の軒先側に位置した１段目母屋Ｙａに載せ、棟側連結部１４ｂを２段目母屋Ｙｂに載せる（図９）。この第１耐火枠体２ａは、自重により１段目母屋Ｙａの側面と外壁部１３ａとが当接し、当該当接部分の外壁部１３ａと１段目母屋Ｙａとを横葺耐火板６７と共に連結金具５７´で水平方向に連結して固定する。この際、傾斜方向に重心が加わるため、網入ガラス板７の下端と横支持片２７との間に支持片６４を介在させて網入ガラス板７が自重で破損するのを防止している。
【００４２】
次いで、前記第１耐火枠体２ａの棟側連結部１４ｂが載置された２段目母屋Ｙｂの上に第２耐火枠体２ｂの軒側連結部１４ｃを載置し、第２耐火枠体２ｂの棟側連結部１４ｄを３段目母屋Ｙｃに載置する（図９）。前記第１耐火枠体２ａの棟側連結部１４ｂと、第２耐火枠体２ｂの軒側連結部１４ｃの重合部分を上面から連結金具５７´で母屋Ｙに固定した状態を図９（図２のロ）に示す。
【００４３】
さらに、３段目母屋Ｙｃに載置した第２耐火枠体２ｂの棟側連結部１４ｄに第３耐火枠体２ｃの軒側連結部１４ｅを載置し、該第３耐火枠体の棟側連結部１４ｆを４段目母屋Ｙｄに載置する図１０（図２のハ）に示す。前記３段目母屋Ｙｃに載置した第２耐火枠体２ｂの棟側連結部１４ｄと第３耐火枠体２ｃの軒側連結部１４ｅとの重合部分を連結金具５７´で上面から母屋Ｙｂに連結固定する（図９）。
【００４４】
補修個所の４段目母屋Ｙｄ（最上段）に取付けた第３耐火枠体２ｃは、４段目母屋Ｙｄの側面と第３耐火枠体２ｃの外壁部１３ｆと横葺耐火板６７と共に連結金具５７´で連結する（図１０）。前記工程を繰り返すことにより、下方から上方に耐火枠体２を順次取付けることができる。
【００４５】
前記耐火枠体２の左右方向への連結は、図１１、１２に示すごとく、耐火枠体２ａの縦枠組３０ａを構成する縦枠片３１ａの連結部３４ａと、他の耐火枠体２ｂの縦枠組３０ｂの縦枠片３１ｂの連結部３４ｂの端面と端面を互いに接合させて配置する（図１１）。したがって、幅方向に連結する各耐火枠体２は同一平面に位置させることができる。各耐火枠体２の接合部分（連結部３４ａ、３４ｂ）の上面には、それぞれ断面門型に形成した連結カバー５８を被せてある（図１１、図１３）。
【００４６】
前記採光枠Ｓを構成する外周面の左右方向に位置する耐火枠体の横枠片１１と横押圧片２０との間に横葺耐火板６７を連結金具５７´で固定し、上下方向に位置する耐火枠体の縦枠片３１の連結部３４に縦葺耐火板６９を連結金具５７で固定して採光枠Ｓの周面を囲うことにより、火災発生時おける炎が建築基準法に規定する一定時間、外部に出るのを防止することができる。
【００４７】
前記耐火枠体２を補修個所の上下左右方向へ取付けて採光枠Ｓを形成した後、表面に波型樹脂板５を取付ける。前記波型樹脂板５の取付けは、上端（棟側）を補修個所に位置した波型スレート板６５の軒側端部の下側に設置して重合し、波型樹脂板５の下端（軒側）を補修個所の軒側に位置した波型スレート板６５´の上面に取り付けて設置してある。それにより雨漏り防止用のシール材を充填することなく、雨漏りを防止することができる。
【００４８】
さらには、耐火採光装置１の葺き替え工事をする場合、屋根に工事用の足場を組み立てることなく補修個所に位置する既存の母屋Ｙを利用して耐火枠体２を上下左右方向に耐火採光装置１を簡単に連設することができるので、工事費が安価で経済的である。また、耐火採光装置１は、耐火枠体２と波型樹脂板５とで二重構造にし、さらに採光枠Ｓの外周面を縦横葺耐火板６７、６９で囲うことにより、内部に設けた空気層は断熱効果を有し、また、万一の火災の場合、耐火採光装置１内に炎が入るのを防止することができ、さらに、外部からの衝撃に対して耐久性を有する。
【００４９】
建造物の外壁面Ｍにできた補修個所に前記耐火採光装置１を取付ける場合、所定の補修個所の大きさに合致した複数枚の耐火枠体２を外壁面に設けた既存の胴縁Ｎに取付けて採光枠Ｓを形成し、外壁面Ｍに取付けた波型スレート６５と同じ波型に形成した合成樹脂材である波型樹脂板５を取付けることにより、外壁面を簡単に補修することができる。前記外壁面Ｍへ耐火採光装置１を取付ける工程は、前記屋根に耐火採光装置１を取付けた場合と同じであることからその説明を省略する。
【符号の説明】
【００５０】
１  耐火採光装置
２  耐火枠体
５  波型樹脂板
７  網入ガラス板
１０  横枠組
１１  横枠片
１２  溝部
１３  外壁部
１４  連結部
１５  内壁部
１６  嵌合部
２０  横押圧片
２１  平坦部
２２  内側脚部
２３  嵌合部
２５  外側脚部
２６  嵌合部
２７  横支持片
２８  下端支持部
２９  上端支持部
３０  縦枠組
３１  縦枠片
３２  溝部
３３  外壁部
３４  連結部
３５  内壁部
３７  縦押圧片
３８  平坦部
３９  内側脚部
４０  外側脚部
４５  縦支持片
４６  下端支持部
４７  上端支持部
５５  コーナー片
５７  連結金具
５７´連結金具  
５８  連結カバー
６０  保持パッキン
６３  押圧パッキン
６４  支持片
６５  波型スレート板
６５´波型スレート板  
６６  屋根板保護クッション
６７  横葺耐火板
６８  波型パッキン
６９  縦葺耐火板
７０  パッキン
Ｍ  外壁
Ｎ  胴縁
Ｓ  採光枠
Ｔ  基枠
Ｘ  屋根
Ｙ  母屋
【図１】
0006531074.tif 000002
【図２】
0006531074.tif 000003
【図３】
0006531074.tif 000004
【図４】
0006531074.tif 000005
【図５】
0006531074.tif 000006
【図６】
0006531074.tif 000007
【図７】
0006531074.tif 000008
【図８】
0006531074.tif 000009
【図９】
0006531074.tif 000010
【図１０】
0006531074.tif 000011
【図１１】
0006531074.tif 000012
【図１２】
0006531074.tif 000013
【図１３】
0006531074.tif 000014
【図１４】
0006531074.tif 000015
【図１５】
0006531074.tif 000016
【図１６】
0006531074.tif 000017